(57)【特許請求の範囲】
【請求項１】
本体に設けられたプローブ先端と体表面との距離を一定に保つガイドが設けられている体表面温度計において、該ガイドは、該プローブ先端と被検体表面との距離を任意に可変でき、かつ任意の位置に係止できるように形成されたものであることを特徴とする体表面温度計。
【請求項２】
該ガイドは、該本体に、一箇所あるいは同軸上の２箇所の支点で回動自在に軸支され、かつ凹形状または凸形状に設けられたストッパーにて定位置に係止できることを特徴とする請求項１に記載の体表面温度計。
【請求項３】
該ガイドは、該本体，該プローブ，該ガイドのいずれかの内部に該ガイドの一部を収納でき、かつ、伸縮可能であることを特徴とする請求項１〜２のいずれかに記載の体表面温度計。
【請求項４】
該ガイドは、体表面に触れる部分が、角のない滑らかな面、もしくはローラーを有していることを特徴とする請求項１〜３のいずれかに記載の体表面温度計。
【請求項５】
該ガイドは、体表面に触れる部分の形状が、該プローブのほぼ中心あるいは測定範囲のほぼ中心を通る軸上に中心点あるいは対称軸をもつ形状であることを特徴とする請求項１〜４に記載の体表面温度計。
【請求項６】
該ガイドは、該本体もしくは該プローブとの係止、接続にユニバーサルジョイントを使用していることを特徴とする請求項１〜５のいずれかに記載の体表面温度計。
【発明の詳細な説明】
【０００１】
【産業上の利用分野】
本発明は、哺乳動物特に人体の体表面から放射される赤外線を利用して体温測定を行う体表面温度計に関する。
【０００２】
【従来の技術】
赤外線を利用して被検体の体表面の温度を測定するものとしては、サーモグラフィがよく知られているが、装置が大型で、手軽に測定できるとはいえない。
【０００３】
これに対し小型で簡単に、人体の体表面から放射される赤外線を利用して、非接触で体温を測定する方法の１つとしては、鼓膜温度計が知られており、体表面の温度を測定できるものが米国特許第４６０２６４２号に開示されている。
【０００４】
これを使用して体表面の温度を測定する際には、本体から伸びるプローブの先端部分を測定しようとする体表面に向けて、プローブ内に内蔵された赤外線センサが体表面に指向するようにしていた。
【０００５】
【発明が解決しようとする課題】
しかしながら、このような方法では赤外線センサと体表面との距離は測定者や測定部位によって変動してしまい、正確な測定を行なうことができなかった。
【０００６】
また、先端が体表面に触れてしまった場合にも、プローブ先端への熱の影響や窓への汚れの付着などにより、正確な測定が行なえなかった。また、プローブがどの方向に向いているかわかりにくいために、どの部分の体表面を測定しているのか分かりづらかった。
【０００７】
本発明は、上記従来例に鑑みてなされたものであって、プローブ先端に体表面とプローブ先端との距離を一定に保ち、測定範囲の指標となり、任意の位置に可変でき、さらには、任意の位置に係止できるガイドを備え、体表面の温度を正確に測定することができ、フィルムカバーの交換が簡単で、鼓膜温度としても使用できる体表面温度計を提供することを目的とする。
【０００８】
【課題を解決するための手段】
本発明の体表面温度計は、本体に設けられたプローブ先端と体表面との距離を一定に保つガイドが設けられている体表面温度計において、ガイドは、プローブ先端と被検体表面との距離を任意に可変でき、かつ任意の位置に係止できるように形成された体表面温度計である。
【０００９】
本発明の好ましい態様によれば、ガイドは、本体に、一箇所あるいは同軸上の２箇所の支点で回動自在に軸支され、かつ凹形状または凸形状に設けられたストッパーにて定位置に係止できるものである。
【００１０】
本発明の好ましい態様によれば、ガイドは、本体，プローブ，ガイドのいずれかの内部にガイドの一部を収納でき、かつ、伸縮可能となるものである。
【００１１】
本発明の好ましい態様によれば、ガイドは、体表面に触れる部分が、角のない滑らかな面、もしくはローラーを有しているものである。
【００１３】
本発明の好ましい態様によれば、ガイドは、体表面に触れる部分の形状が、プローブのほぼ中心あるいは測定範囲のほぼ中心を通る軸上に中心点あるいは対称軸をもつ形状である。
【００１４】
本発明の好ましい態様によれば、ガイドは、本体もしくはプローブとの係止、接続にユニバーサルジョイントを使用しているものである。
【００１５】
【実施例】
以下、本発明の各実施例につき添付図面を参照して詳細に説明する。
【００１６】
図１は本発明の第１実施例にかかる外観斜視図である。ガイド２ａは回転軸３を支点にして、回動自在にプローブ１の側面（好ましくは両側面）に係止され、プローブ１の側面（好ましくは両側面）に設けられたストッパー４ａによって定位置に係止される。ガイド２ａの先端部２ａ′は、プローブ先端１ａの視野を取り囲むようにほぼ半円形に形成されている。
【００１７】
回転軸３は、図２のフィルムカバー５を取り付けたときに、フィルムカバー５に触れない位置にある。使用する際にはガイド２ａの弾性力を利用してストッパー４ａからガイド２ａを外し、図２に示すように動かし、プローブ先端１ａにフィルムカバー５を取り付けてガイド２ａを再セットする。フィルムカバー５は、必要に応じて取り付けるもので、必ずしも取り付ける必要はない。
【００１８】
体表面温度計の本体１０は、電源電池，制御部，温度処理部，データ入力部，プリント出力部等が設けられているが、これらを本体１０の内部に設けないで別の装置に設ける、いわゆるセパレート型であってもよい。
【００１９】
温度センサとして使用される赤外線センサとしては、サーモパイル型，ボロメータ型，焦電型等のいずれを使用してもよい。ボロメータ型の赤外線センサを用いる場合には、プローブ先端１ａ内部に赤外線センサを設けることができ、ライトガイドが不必要となる。
【００２０】
回転軸３は、体表面温度計の本体１０の側面に設けられ本体１０の長手方向に自在に移動できるように形成されている。回転軸３は、好ましくは対向する１対で形成されるが、本体１０の一方の側面のみに形成してもよい。
【００２１】
測定方法は、図３のように体表面６に軽く押し当て、ガイド２ａのほぼ半円形状の先端部２ａ′の取り囲む領域を指標にしてプローブ１ａの視野、すなわち、測定領域（測定範囲）を確認しながら前後左右に動かして測定する。
【００２２】
温度センサとして、赤外線センサを用いているため、数秒程度で被測定部位の温度を測定できる。
【００２３】
回転軸３を矢印方向に移動させることにより、ガイドの先端部がプローブ先端と体表面との距離を任意に可変できる。
【００２４】
また、ガイド２ａを移動した状態にすれば、プローブ１を外耳道に挿入して鼓膜温度の測定を行うこともできる。このとき、ガイド２ａを係止（固定）している位置は、好ましくは先端より１０ｍｍ以上本体側のところにあるため、鼓膜温度測定にも支障をきたさない。
【００２５】
ガイド２ａは、外径１．０〜２．０ｍｍ程度の中実または中空で弾性のある金属、例えばステンレス鋼等を曲げて加工され、表面は体表面を傷つけないように角のない滑らかな面、または図４に示すように、プローブ１の動きに合わせて回転するローラー７が備え付けられた構造に形成されている。この場合、ガイド２ａの材質は、ポリプロプロピレン系樹脂，ＡＢＳ系樹脂等の熱可塑性樹脂等でもよく、エラストマー材、例えばフッ素系樹脂等の低摺動性樹脂等で表面を被覆させて、表面を滑らかにしても構わない。
【００２６】
第２実施例を図５、図６に示す。プローブ１の先端に取り付けられたガイド２は、図５のガイド２ｂのようにプローブ１内に収納、あるいは図６のガイド２ｃのように、ロッドアンテナ状に伸縮することにより前後に移動可能である。
【００２７】
鼓膜温度の計測、またはカバー５を付ける際には、ガイド２ｂ、２ｃを縮めて使用し、体表面温度の測定するときには、図５ではガイド２ｂをプローブ１より引き出し、図６では、同様にロッドアンテナ状のガイド２ｃを伸ばして、実施例１と同様な方法により、体表面６にガイド２ｂ、ガイド２ｃを軽く押し当てて、ガイドを指標にして測定範囲を確認しながら測定をおこなう。
【００２８】
また、ガイド２ｂをプローブ１内に収納した状態、あるいはガイド２ｃを縮めた状態であれば、実施例１と同様にプローブを外耳道に挿入して、鼓膜温度の測定を行なうこともできる。
【００２９】
ガイド２ｂの固定は、任意の位置で係止できるストッパー（不図示）により可能となる。
【００３０】
また、第１実施例、第２実施共に、ガイドは、図７に示すガイド２ｄの様にプローブ側面の片側一箇所に、係止（固定）されていても構わない。係止にユニバーサルジョイント９を使用すれば、ガイド２ｄを上下左右に動かすことが可能である。
【００３４】
【発明の効果】
以上、詳述したように、本発明の体表面温度計は、本体に設けられたプローブ先端と体表面との距離を一定に保つガイドが設けられている体表面温度計において、ガイドは、プローブ先端と体表面との距離を任意に可変でき、かつ任意の位置に係止できるように形成された体表面温度計であるので、測定範囲の指標となるように、被検体表面と接触する部分の形状が、プローブの中心あるいは測定範囲の中心を通る軸上に中心点あるいは対称軸をもつ形状となり、簡便な取り扱いで迅速かつ正確に体表面の温度を測定することができ、さらに、フィルムカバーの交換が簡単で、鼓膜温度としても使用できる。
【００３５】
ガイドは、本体に、一箇所あるいは同軸上の２箇所の支点で回動自在に軸支され、かつ凹形状または凸形状に設けられたストッパーにてほぼ定位置に係止できるので、簡便な取り扱いで迅速に、より正確に体表面の温度を測定することができ、フィルムカバーの交換が簡単で、鼓膜温度としても使用できる。
【００３６】
ガイドは、本体，プローブ，ガイドのいずれかの内部にガイドの一部を収納でき、かつ、伸縮可能であるので、簡便な取り扱いで迅速に、より正確に体表面の温度を測定することができ、フィルムカバーの交換が簡単で、鼓膜温度としても使用できる。
【００３７】
ガイドは、体表面に触れる部分が、角のない滑らかな面、もしくはローラーを有しているので、簡便な取り扱いで迅速に、より正確に体表面の温度を測定することができる。
【００３９】
ガイドは、体表面に触れる部分の形状が、プローブのほぼ中心あるいは測定範囲のほぼ中心を通る軸上に中心点あるいは対称軸をもつ形状であるので簡便な取り扱いで迅速に、より正確に体表面の温度を測定することができる。
【００４０】
ガイドは、本体もしくはプローブとの係止、接続にユニバーサルジョイントを使用しているので簡便な取り扱いで迅速に、より正確に体表面の温度を測定することができる。
【図面の簡単な説明】
【図１】第１実施例に係る体表面温度計のガイド形状を示した外観斜視図である。
【図２】ガイドを動かした状態を示す図である。
【図３】図１の使用状態を示した図である。
【図４】第２実施例に係る体表面温度計の斜視図である。
【図５】第２実施例の変形例に係る体表面温度計の斜視図である。
【図６】第１実施例及び第２実施例の変形例に係る体表面温度計の斜視図である。
【図７】第３実施例に係る体表面温度計の斜視図である。
【図１】
0003560666.tif 000002
【図２】
0003560666.tif 000003
【図３】
0003560666.tif 000004
【図４】
0003560666.tif 000005
【図５】
0003560666.tif 000006
【図６】
0003560666.tif 000007
【図７】
0003560666.tif 000008